【手続補正書】
【提出日】平成21年8月20日(2009.8.20)
【手続補正１】
【補正対象書類名】特許請求の範囲
【補正対象項目名】全文
【補正方法】変更
【補正の内容】
【特許請求の範囲】
【請求項１】
広告主にメディアプランを提供する方法であって、
複数のメディアプロパティの料金表情報を記憶する段階と、
前記メディアプロパティによって到達されるオーディエンスに関する情報を記憶する段階と、
前記広告主に関する情報を記憶する段階と、
前記料金表情報、前記オーディエンスに関する情報、及び前記広告主に関する情報に基づいてメディアプランを生成する段階と、
前記プランを購入のために前記広告主に提示する段階と、
を含む方法。
【請求項２】
前記メディアプランが、
広告を流す基準となるメディアプロパティのセットと、
前記広告を流す基準となる日付の範囲と、
前記広告を流す時間帯と、
前記広告を流す回数と、
を含む、
ことを特徴とする請求項１に記載の方法。
【請求項３】
前記メディアプランが、特定の人口動態のビューワの推定数を含む、
ことを特徴とする請求項１に記載の方法。
【請求項４】
前記メディアプランが、特定の心理学的なビューワの推定数を含む、
ことを特徴とする請求項１に記載の方法。
【請求項５】
前記プランにおいて広告を流すためのサードパーティへの注文を送信する段階を含む、ことを特徴とする請求項１に記載の方法。
【請求項６】
前記オーディエンスに関する情報が、オーディエンス情報に関して外部プロバイダから取得されたものではなく、内部で生成された情報を含む、
ことを特徴とする請求項１に記載の方法。
【請求項７】
前記広告主から目標を受け取る段階と、
前記目標に基づいて前記メディアプラン用のメディアミックスを決定する段階と、
を含む、
ことを特徴とする請求項１に記載の方法。
【請求項８】
前記広告主から目標を受け取る段階と、
前記目標に基づいて前記メディアプラン用の最適コストを決定する段階と、
を含む、
ことを特徴とする請求項１に記載の方法。
【請求項９】
前記広告主から目標を受け取る段階と、
前記目標に基づいて前記メディアプラン用に使用するスポットの最適数を決定する段階と、
を含む、
ことを特徴とする請求項１に記載の方法。
【請求項１０】
それぞれのメディアプロパティに注文を提出するためのフォーマットに関する規則を記憶する段階と、
その規則に従って少なくとも１つのメディアプロパティに前記メディアプランを提出する段階と、
を含む、
ことを特徴とする請求項１に記載の方法。
【請求項１１】
電子メディアシステムであって、
広告主顧客のためのインターフェースとして働くウェブサイトを提供し、且つ前記広告主向けのメディアプランに対しての前記広告主によるウェブページからの要求を受け取るウェブサーバと、
広告のフォーマットに関する情報と、それぞれのメディアプロパティに対する広告を提出する方式とを記憶するメディア購買規則データベースと、
ロケーション情報を利用可能な市場に関連付けるメディア配置データベースと、
それぞれの広告主に関連した情報を記憶する広告主情報データベースと、
前記メディア配置データベースを使用してそれぞれのロケーションに対して利用可能な市場を決定する論理回路と、
前記メディア配置データベース及び前記広告主情報データベースからのデータに基づいてメディアプランを生成する論理回路と、
前記メディア購買規則データベースに提供された広告を提出する前記フォーマット及び方式に従って、前記メディアプロパティに対して前記メディアプランでの広告を提出する論理回路と、
を含む電子メディアシステム。
【請求項１２】
広告の少なくとも構成要素のテンプレートのデータベースを含む、
ことを特徴とする請求項１１に記載のシステム。
【請求項１３】
前記テンプレートのセットのサブセットのリストから選択したテンプレートを前記広告主から受け取り、前記選択されたテンプレートに基づいてカスタマイズされた広告を作成するために入力を提供するように前記広告主に指示する論理回路を含む、
ことを特徴とする請求項１１に記載のシステム。
【請求項１４】
前記メディアプランにおいて前記カスタマイズされた広告を含み、前記カスタマイズされた広告をメディアプロパティに提出する論理回路を含む、
ことを特徴とする請求項１１に記載のシステム。
【請求項１５】
カスタマイズされた広告を提供する方法であって、
メディアオブジェクトのセットを定義する、広告の少なくとも構成要素のテンプレートのセットを記憶する段階と、
コンピュータネットワークを通じて広告主に関する情報を受け取る段階と、
前記広告主に関する情報に基づいて、前記広告の少なくとも構成要素の前記テンプレートのセットのサブセットのリストを前記コンピュータネットワークを通じて前記広告主に提示する段階と、
前記テンプレートのセットのサブセットのリストから選択されたテンプレートを前記広告主から受け取る段階と、
前記広告主からのカスタム情報なしに、前記広告主が選択したテンプレートを再生する段階と、
前記選択されたテンプレートに基づいてカスタマイズされた広告を作成するために入力を提供するよう前記広告主に指示する段階と、
前記選択されたテンプレート及び前記広告主によって提供された入力からカスタマイズされた広告を作成する段階と、
を含む方法。
【請求項１６】
前記テンプレートを再生する段階が、ビデオを再生する段階を含む、
ことを特徴とする請求項１５に記載の方法。
【請求項１７】
前記テンプレートを再生する段階が、オーディオを再生する段階を含む、
ことを特徴とする請求項１５に記載の方法。
【請求項１８】
複数のテンプレートを組み合わせて前記カスタマイズされたビデオ広告を作成する段階を含む、
ことを特徴とする請求項１５に記載の方法。
【請求項１９】
前記コンピュータネットワークが、インターネットを含む、
ことを特徴とする請求項１５に記載の方法。
【請求項２０】
編集決定リスト（ＥＤＬ）を使用してそれぞれのテンプレートにおいてメディアオブジェクトの編成を表わす段階と、
前記広告に関する付加的な情報を前記ＥＤＬに含める段階と、
を含む、
ことを特徴とする請求項１５に記載の方法。
【請求項２１】
前記指示段階が、テキスト用の入力を提供する段階を含む、
ことを特徴とする請求項１５に記載の方法。
【請求項２２】
前記広告主からの入力は、選択肢のセットからの選択対象を含む、
ことを特徴とする請求項１５に記載の方法。
【請求項２３】
前記選択肢が、オーディオオブジェクトのセットを含む、
ことを特徴とする請求項１５に記載の方法。
【請求項２４】
前記広告主からの入力がオーディオを含む、
ことを特徴とする請求項１５に記載の方法。
【請求項２５】
前記広告主からの入力がイメージを含む、
ことを特徴とする請求項１５に記載の方法。
【請求項２６】
前記広告主からの入力がビデオを含む、
ことを特徴とする請求項１５に記載の方法。
【請求項２７】
少なくとも一部のメディアオブジェクトを前記関連のテンプレートと別個に記憶する段階を含む、
ことを特徴とする請求項１５に記載の方法。
【請求項２８】
利用可能なテンプレートを表わすアイコンを表示する段階を含む、
ことを特徴とする請求項１５に記載の方法。
【請求項２９】
利用可能なテンプレートを表わす、前記テンプレートからのイメージを表示する段階を含む、
ことを特徴とする請求項１５に記載の方法。
【請求項３０】
利用可能なテンプレートを表わすそれぞれのテンプレートを示すストーリーボードを表示し、前記ストーリーボードに関連した入力を提供する段階を含む、
ことを特徴とする請求項１５に記載の方法。
【請求項３１】
カスタマイズされたビデオ広告を提供するためのメディアシステムであって、
メディア広告テンプレートで使用するメディアオブジェクトのセットを含むメディアオブジェクトデータベースと、
前記テンプレートに対応する広告においてそれぞれのメディアオブジェクトの編成を表わす情報を含むメディア広告テンプレートのセットを含み、コンテンツ用にフォーマット化されたそれぞれのメディアオブジェクトの編成を表わす情報の一部分内に前記テンプレートの使用に関する命令と共にメタデータが記憶されているテンプレートデータベースと、
前記テンプレートに関連した前記メディアオブジェクトデータベースからのメディアオブジェクトを含むカスタマイズされたビデオ広告を作成する論理回路と、
を備え、
前記カスタマイズされたビデオ広告が、テンプレートと、該テンプレートの使用に関する命令を備えた前記メタデータとに基づく、
ことを特徴とするメディアシステム。
【請求項３２】
それぞれのメディアオブジェクトの編成を表わす前記情報が、編集決定リスト（ＥＤＬ）を含む、
ことを特徴とする請求項３１に記載のシステム。
【請求項３３】
前記広告主からのカスタム情報なしに前記テンプレートを再生するウェブページを生成するための論理回路を含む、
ことを特徴とする請求項３１に記載のシステム。
【請求項３４】
前記テンプレートに対するカスタム入力を前記広告主に指示するウェブページを生成するための論理回路を含む、
ことを特徴とする請求項３１に記載のシステム。
【請求項３５】
前記テンプレートが、前記広告主が提供できるテキストを備えたメタデータを含む、
ことを特徴とする請求項３１に記載のシステム。
【請求項３６】
前記テンプレートが、前記広告主が提供できるイメージを備えたメタデータを含む、
ことを特徴とする請求項３１に記載のシステム。
【請求項３７】
前記テンプレートが、前記広告主が提供できるオーディオを備えたメタデータを含む、ことを特徴とする請求項３１に記載のシステム。